(57)【要約】データ記憶媒体の読み込み用モジュールは処理装置配置及びメモリー配置を有し、モジュールはデータ処理装置に組み込まれるように設計され、データ記憶媒体はデータ系列及びデータ系列上の情報を有し、データ系列はルートディレクトリ及び少なくとも一つのサブディレクトリを有するディレクトリ構造で保存され、処理装置配置は、ルートディレクトリに存在するデータ系列の第一の下位集合に関する情報をメモリー配置の第一のディレクトリに書き込み、データ記憶媒体のサブディレクトリに存在するデータ系列の少なくとも第二の下位集合に関する情報をメモリー配置の第二のディレクトリに書き込むように設計される。
2006511027.tif 000002
【特許請求の範囲】
【請求項１】
処理装置配置及びメモリー配置を有するデータ記憶媒体の読み込み用モジュールであって、
・データ処理装置に組み込まれるように設計されることと、
・前記データ記憶媒体はデータ系列及びデータ系列上の情報を有し、前記データ系列はルートディレクトリ及び少なくとも一つのサブディレクトリを有するディレクトリ構造で保存されることと、
・前記処理装置配置は、前記ルートディレクトリに存在する前記データ系列の第一の下位集合に関する情報を前記メモリー配置の第一のディレクトリに書き込み、前記データ記憶媒体の下位集合に存在するデータ系列の少なくとも第二の下位集合に関する情報を前記メモリー配置の第二のディレクトリに書き込むように設計されることと、
を有するモジュール。
【請求項２】
前記メモリー配置の前記ディレクトリは一つ以下の階層的な段階で配置されることを特徴とする、請求項１記載のモジュール。
【請求項３】
前記第一の下位集合のデータ系列は圧縮されていないオーディオコンテンツを有するオーディオデータ系列であり、
前記第二の下位集合のデータ系列は圧縮されたオーディオコンテンツを有するオーディオデータ系列であることを特徴とする、請求項１記載のモジュール。
【請求項４】
前記処理装置配置は、前記メモリー配置に保存されたデータ系列上の情報を要求する命令を受け取り、該情報を利用可能にするように設計されることを特徴とする、請求項１記載のモジュール。
【請求項５】
前記データ処理装置はカーラジオであることを特徴とする、請求項１記載のモジュール。
【請求項６】
請求項１乃至５のうちの一項記載のモジュールが組み込まれている、データ記憶媒体再生装置。
【発明の詳細な説明】
【技術分野】
【０００１】
本発明はデータ記憶媒体の読み込み用モジュールに関する。該モジュールはデータ処理装置に組み込まれるように設計される。
【背景技術】
【０００２】
モジュールはデータ記憶媒体、特に、カーラジオへ組み込むために、自動車用分野で使用されるCD、ミニディスク、又はDVDを読み込むために設計されることが知られている。このようなモジュールは、モジュールが末端消費者又はカーラジオ製造者の、例えば異なる前面部又は調整つまみに関する要求若しくは願望とは無関係に、常に同じ構成を取ることが出来るという利点を提示する。カーラジオ自体は特に、調整つまみ並びに通常表示部、増幅用電子機器、及び無線受信用チューナー装置を有する前面部（インパネ）を有する。カーラジオに組み込まれるモジュールは、複雑な機械的な要素、大きな衝撃及び衝突並びに高い温度での動作、並びに定められた熱平衡性にも関わらず、小さな構造容積といった厳しい要求に応じなければならない。複雑な電気構成部品がモジュール内で使用されることを通常許容しないのは、特に小さな構造容積及び熱平衡性である。更には、表示部の提示実現性に限りがあるために、使用者への情報提供の実現性が限られる。
【０００３】
モジュールは、圧縮されていない形式（例えば、レッドブック規格に従って如何なるオーディオ用CDに置かれたオーディオデータ）又は圧縮された形式（例えば、CD-ROMに保存されたMP3オーディオデータ）でのデータ系列（例えば、オーディオデータ）の再生を可能にすることで知られる。しかし、コンピューターでのCD製作の現代の実現性は、圧縮されていないオーディオデータ及び並列に存在するROMデータ系列構造を有する複雑な構造のCDをもたらす。圧縮されたコンテンツを有するオーディオデータ系列はROMデータ系列構造に存在しても良く、同様にオーディオコンテンツを有さないデータ系列に存在しても実際には良い。ROMデータ系列構造内のデータ系列は複雑なディレクトリ構造にしばしば置かれ、これはコンピューターでのディレクトリ構造に類似している。
【発明の開示】
【発明が解決しようとする課題】
【０００４】
上述のモジュールを改良することが本発明の目的である。
【課題を解決するための手段】
【０００５】
この目的は、処理装置配置及びメモリー配置を有するデータ記憶媒体の読み込み用モジュールによって達成される。
【０００６】
前記モジュールはデータ処理装置へ組み込まれるように設計される。前記データ記憶媒体はデータ系列及びデータ系列上の情報を有し、前記データ系列はルートディレクトリ及び少なくとも一つのサブディレクトリを有するディレクトリ構造で保存される。前記処理装置配置は、前記ルートディレクトリに存在するデータ系列の第一の下位集合に関する情報を前記メモリー配置の第一のディレクトリに書き込み、前記データ記憶媒体の下位集合に存在するデータ系列の少なくとも第二の下位集合に関する情報を前記メモリー配置の第二のディレクトリに書き込むように設計される。
【０００７】
データ記憶媒体のディレクトリ構造は、ルートディレクトリ及びサブディレクトリを有する。その場合、ルートディレクトリはデータ記憶媒体自体である。データ記憶媒体が読み込まれ、データ系列がこの段階で存在する場合、これらの系列はルートディレクトリに置かれる。サブディレクトリは再生可能なデータ系列に相当しないデータ系列構造であるが、一般的にそれらの順番になってデータ系列及び更なるサブディレクトリを有する。
【０００８】
“処理装置配置”の表現は、データ記憶媒体から読み込まれるデータ系列を復号し、復元し、及びに一般的に処理するために、且つ、受信された命令を処理し、伝達内容を送信するためにも用いられる電気的な構成要素を表す。処理装置配置は、他の関連する電気的な構成要素と同様に、複数の構成要素、例えば特定の復号処理装置及び／又はプログラム可能デジタル信号処理装置（DSP）を有する。“メモリー配置”の用語は、少なくとも一つの構成要素若しくは複数のメモリー構成要素であると理解される。メモリー構成要素は、DSPに関するプログラムデータの完全な又は部分的な、揮発性又は不揮発性の保存用、及び／又は、中間データ（例えば、瞬間的にモジュールに存在するデータ記憶媒体のデータ系列の情報）及び／又は他のデータの保存用のどちらかである。
【０００９】
ROMデータ系列構造は、単一のデータ系列のみを有する場合にも、常にサブディレクトリとしてみなされる。なぜならば、各ROMデータ系列構造はコンテンツを記述する所謂ボリューム記述子を要求するからである。ROMデータ系列のボリューム記述子はISO9660に従う。更なるサブディレクトリはROMデータ系列に存在しても良い。階層段階の数はROMデータ系列の構造において8までに限定されている。
【発明の効果】
【００１０】
このようなモジュールの利点は、データ記憶媒体のルートディレクトリに存在するデータ系列上の情報の項目がメモリー配置のディレクトリに全て保存されることである。このディレクトリへのアクセスは、使用者がアクセスするデータ系列の特性に関して使用者にとって明瞭さを高める。データ記憶媒体自体で、これらのデータ系列はデータ系列構造（例えば、ROMデータ系列構造）を要求される如何なる方式で混合される。夫々のサブディレクトリに置かれる各データ系列上の情報はメモリー配置での一つの夫々のディレクトリでも見つけられることが、更なる利点である。
【００１１】
それは、メモリー配置でのディレクトリが一つ以下の階層段階にない場合に、このことがオーディオデータ系列の構造をより明瞭に示すので特に利点であり、メモリーは小さく出来、結果として安価に設計される。
【００１２】
本発明はまた、データ記憶媒体の再生装置、例えば本発明によるモジュールが組み込まれたカーラジオにも関連する。
【００１３】
本発明の様々な特徴は、実施例及び図を参照して以下で詳細に説明される。
【発明を実施するための最良の形態】
【００１４】
図１は、データ記憶媒体２を読み込むためのモジュール１を示す。モジュールはその挿入／排出室にデータ記憶媒体２を有する。このようなモジュールはカーラジオに組み込まれるように設計される。線８、９、１０（ここでは挿し込みコネクタを有するフラットケーブルとして示されている）は電力供給及びデータ交換のために設けられ、カーラジオに結合されている。ディスク型のデータ記録媒体２（この場合、CD又はDVD）は、半径方向に可動なピックアップがCD又はDVDの螺旋構造に存在するデータ系列を読み込むことが出来るように、機械的な要素（図示せず）によって駆動装置に運ばれ、そこで回転させられる。
【００１５】
図２は、自動車のインパネに組み込まれるように設計されるカーラジオ１５を示す。カーラジオ１５は、調整つまみ１１、表示部１２、及び挿入口１４を有する前面部１３を有する。このモジュール１はカーラジオ１５に組み込まれる。組み込みは、螺子による取り付け、若しくは嵌め込み、又は他の既知の取り付け方法によって実現される。モジュールは、モジュールの挿入／排出室がカーラジオ１５の挿入口１４に対応するように組みこまれる。使用者は調整つまみ１１によって単純な、又は複雑な操作を実行しても良い。その場合、この操作はカーラジオ１５からモジュール１までの命令のやり取りをもたらす。モジュール１は、その状態、異常、及び戻りの命令の処理での通信を供給する。これらの通信は表示部１２に示される。
【００１６】
図３はCD又はDVDを読み込むためのモジュール１の内部構造のブロック図である。駆動装置３はCD又はDVDを回転させる駆動部、並びに、レーザーダイオード、レンズ、及び焦点合わせ及びトラッキングを調整するためのレンズ作動装置を有する光学データピックアップ、並びに、焦点合わせ及びトラッキングの質を決める多部測定用のフォトダイオードの配置、並びに、データピックアップ装置用輻射形駆動部によって適切に構成される。復号用IC４（例えば、Philips  PhonIC）は、必要に応じて、読み込みデータを復号（例えば、EFM復調及び誤り訂正）し、誤り補間を実行する。更に、多部測定の値に基づいて、最適な焦点合わせ及びトラッキングを保護するレンズ作動装置の制御も行う。示された実施例で、処理装置配置は、復号用IC４、デジタルデータ処理用のDSP５（例えば、TI製DA150）、及びデジタル／アナログコンバーター装置７を有する。DSP５の必要なプログラムはメモリー配置６に不揮発性の方式で保存され、モジュールの電源が入れられるとDSP５に取り込まれる。更には、新しい、あるいは更新されたプログラムはCD-ROMから読み込まれ、メモリー配置６に保存されても良い。
【００１７】
電源供給、並びにカーラジオによる通信及び制御は、幾つかの線８、９、１０、例えば、I2S（インター・IC・サウンド）バス、I2C（インター・IC・コミュニケーション）バス、S/P-DIF（ソニー／フィリップス・デジタル・インターフェース（Sony/Philips  Digital  Interface））出力、デジタル／アナログ変換されたオーディオデータの送信用（左右それぞれのオーディオチャンネル用）アナログ出力、並びに電源供給伝送路によって使用に供される。I2Sバス及びI2Cバスは、同期確保用の一つ又は幾つかのクロック伝送路を有するシリアルバスである。図１で示されるように、全ての伝送路の全体は挿し込みコネクタを有するフラットケーブルとして実現される。
【００１８】
オーディオ用CDで、オーディオデータは内側から外側への螺旋軌道上に連続して置かれる（これは、オーディオ用CDを例えばピットを結合させて製造する工程、又は、オーディオCDの製作用CD-R若しくはCD-RWに対応する書き込み処理、に関する）。曲情報記録領域（テーブル・オブ・コンテンツ、TOC）は、その中の情報がCD上、及び個々のオーディオデータ系列上に置かれており、CDの実際のオーディオデータの先頭の前に存在する。このTOCにおいて、例えば夫々のオーディオデータ系列の開始の絶対時が見つけられる。この開始時間情報は分（min）、秒（s）、及びフレーム（fra）で与えられ、一つのフレームは一秒の75分の1である。標準的なオーディオCDのフレームは98個の基本588ビットから成るフレームで構成される。連続するオーディオデータは最初に交互に配置され、続いてCIRC法によって誤り符号化される。この場合、8個の制御ビットが192個のペイロードデータビット及び64個の誤り補間ビットの各ブロックに加えられる。このようなデータブロックは、夫々の8ビットワードが14ビットワードに変換されるEFM変調を受ける。三つの結合ビットは夫々の14ビットワードに結合され、最後に夫々の基本フレームは24個の同期ビットを供給され、その結果として合計588ビットとなる。従ってデータ系列の開始は明確に定義されるので、情報（min、ｓ、fra）はまたポインタも示す（min、s、fraでの時間情報は各フレーム内で98個の制御ビットに結合される）。更には、夫々のオーディオデータ系列に関する動作時間情報はTOCで見つけられる。
【００１９】
圧縮されたオーディオデータ及び曲目リストはCD-ROM規格（イエローブック規格）でCDに置かれる。CDに軽微な引っ掻き傷がある場合にも十分にROMデータの再構成が可能であるべきなので、上述されたチャンネル符号化に加えて付加的な符号化が存在する。192個のペイロードデータビットの代わりに、2048個のペイロードデータビットのブロック（セクター）が決められ、誤り補正及び他の付加的な情報を結合してセクター毎に総数2352バイトになる。これは98個の基本フレームのペイロードデータに対応する。セクターの2352バイトはオーディオデータであるように98個の基本フレームに細分化され、CD-ROMデータは二重の誤り補正と連動し得るように、同じ誤り符号化およびEFM変調を受ける。ROMデータ系列はCDのTOCという特徴を有する。標準的なCD-ROMには一つのROMデータ系列のみがある。その場合、ROMデータ系列は通常、階層構造で配置された幾つかのデータ系列を有するが、これらはCDのTOCでは表されない。
【００２０】
図４は、非標準CDの構造を一例として示す。圧縮されていないオーディオコンテンツ（DA１,DA２,…）及びデータ系列構造（ROM１,ROM２,…）を有するデータ系列はこのCD上に並んで存在する。このようなCDは今日のコンピュータープログラムで製造され得る。
【００２１】
図５はROMデータ系列構造ROM１の構造を一例として示す。構造体及びデータ系列での情報はデータ系列構造のボリューム記述子で見つけられる。ROM１は二つのディレクトリDIR１及びDIR２を有する。二つのサブディレクトリSDIR１及びSDIR２はDIR１に存在し、圧縮されたオーディオコンテンツを有するデータ系列CA１はSDIR１に保存され、圧縮されたオーディオコンテンツを有する二つのデータ系列CA２及びCA３はSDIR２に保存される。データ系列CA４及びサブディレクトリSDIR３はディレクトリDIR２に存在し、一方で、二つのデータ系列Data１及びCA５はSDIR３に保存される。ここで、Data１はオーディオコンテンツを有さないROMデータ系列である。
【００２２】
図６はデータ系列上の情報がメモリー６でのディレクトリにどのように配置されるかを示す。ここでは、これは圧縮されていないデータ系列及びデータ系列構造ROM１の圧縮されたオーディオコンテンツを有するデータ系列に関して示す。一例として図４に示されているCDの他のデータ系列構造ROM２、ROM３及びROM４からのデータ系列上の情報は、下記に対応する方式でメモリー内の連続したディレクトリに保存される。
【００２３】
第一のディレクトリMDIRは圧縮されていないオーディオデータ系列DA１からDA６の情報を有し、これらオーディオデータ系列はCD上に混合状態で存在する。従って、CD自体（即ち、CDのルートディレクトリ）に保存されたデータ系列の第一の下位集合での情報は一つのディレクトリで見つけられることが達成される。これはより良い総覧を提供する。第二のディレクトリMDIR２において、データ系列CA１には情報S６のみが存在する。CA１は、データ系列構造のディレクトリで見つけられた第一のデータ系列である。このディレクトリはこれ以上のデータ系列を有さないので、MDIR２も他のデータ系列の更なる情報を含まない。CDのディレクトリで見つけられるデータ系列上の情報はモジュールのメモリーでのディレクトリにおいても見つけられ得る。CA１が保存されるディレクトリSDIR１自体は、ROM１のディレクトリであるDIR１のサブディレクトリである。それにも関わらず、S６は、MDIR１に並列であるディレクトリMDIR２に保存される。従って、複雑なディレクトリ構造はモジュールのメモリーにおいて解きほぐされ、データ系列の情報は一重の階層段階で提供される。このことは、総覧を単純化し、メモリー空間を節約する。
【図面の簡単な説明】
【００２４】
【図１】挿入／排出室でのCD又はDVDを用いてデータ記憶媒体を読み込むためのモジュールを示す図である。
【図２】自動車の内装に組み込まれるように設計され、内部にデータ記憶媒体の読み込み用モジュールが実装されたカーラジオを示す図である。
【図３】モジュールの内部構造のブロック図である。
【図４】圧縮されていないオーディオデータ系列及びCD上に並んで存在するROMデータ系列構造を有する非標準CDのディレクトリ構造を一例として示す図である。
【図５】圧縮されたコンテンツを有するオーディオデータ系列及びオーディオコンテンツなしのデータ系列が異なるサブディレクトリに置かれるROMデータ系列構造の内部ディレクトリ構造を一例として示す図である。
【図６】CDのルートディレクトリに存在する圧縮されていないコンテンツを有するオーディオデータ系列上の情報、及び第一のROMデータ系列構造に存在する圧縮されたコンテンツを有するオーディオデータ系列上の情報がメモリー配置のディレクトリにどのように保存されるかを図式的に示す図である。
【図１】
2006511027.tif 000003
【図２】
2006511027.tif 000004
【図３】
2006511027.tif 000005
【図４】
2006511027.tif 000006
【図５】
2006511027.tif 000007
【図６】
2006511027.tif 000008
【国際調査報告】
2006511027.tif 000009
2006511027.tif 000010
2006511027.tif 000011